(57)【特許請求の範囲】
【請求項１】
分割面にて上下に分割される上クランクケースと下クランクケースとが結合されて構成されるクランクケースと、前記クランクケースに回転可能に支持されて前記分割面上に配置されるクランク軸と、前記分割面よりも下方に配置される補機と、前記補機を駆動すべく駆動スプロケットおよび被動スプロケットに掛け渡された無端伝動帯を備える補機駆動用伝動機構とを備える内燃機関と、
前記クランク軸からの動力が入力される入力軸と、前記入力軸よりも下方に位置して変速後の動力を出力する出力軸とを備え、前記入力軸および前記出力軸は前記クランク軸に平行に配置される変速機と、
を備える動力装置において、
前記駆動スプロケットは前記分割面から上方に離れた位置に配置された入力軸に設けられ、前記被動スプロケットは前記補機の駆動軸に設けられ、前記伝動機構は、前記無端伝動帯が摺接すると共に前記無端伝動帯の走行方向に沿って細長い長尺状のガイドを備え、前記ガイドは、その取付部において前記上クランクケースのみに取り付けられて、前記上クランクケースと前記下クランクケースとに跨って配置されることを特徴とする動力装置。
【請求項２】
前記走行方向に平行な方向での前記ガイドの両端部のうちの一方の端部は、前記無端伝動帯から離れる方向に屈曲して形成された屈曲部により構成される前記取付部であり、前記取付部は、締結具により前記上クランクケースに締結されると共に、前記駆動スプロケットにおける前記無端伝動帯の巻入れ部の近傍に位置することを特徴とする請求項１記載の動力装置。
【請求項３】
前記駆動スプロケットと比べたとき前記被動スプロケット寄りに配置されて前記被動スプロケットにおける前記無端伝動帯の巻入れ部寄りで前記無端伝動帯が摺接する別のガイドを備え、前記別のガイドは、前記駆動スプロケット寄りに位置して前記下クランクケースに締結される締結部と、前記被動スプロケットにおける前記巻入れ部寄りに位置して前記下クランクケースに係合する係合部とを有することを特徴とする請求項１または２記載の動力装置。
【請求項４】
前記ガイドは、前記無端伝動帯が摺接する案内面を有する本体部を有し、前記走行方向に直交する直交平面での前記本体部の断面形状は、前記案内面に垂直な方向に沿って延びる連結壁を有するＨ字状であることを特徴とする請求項１または２記載の動力装置。
【請求項５】
前記入力軸には、前記入力軸に対する前記クランク軸から動力の伝達および遮断を行うクラッチが同軸に連結され、前記取付部は、前記上クランクケースにおいて前記入力軸を回転可能に支持する支持壁に取り付けられ、前記ガイドは前記支持壁および前記クラッチの間に配置されることを特徴とする請求項１から３のいずれか１項記載の動力装置。
【請求項６】
前記ガイドは、前記無端伝動帯が摺接する案内面を有する本体部と、前記本体部の背面から背後に突出して前記クランクケースに係合するフック状係合部とを有することを特徴とする請求項１から３のいずれか１項記載の動力装置。
【発明の詳細な説明】
【技術分野】
【０００１】
本発明は、内燃機関および変速機を備える動力装置に関し、詳細には、内燃機関の補機を駆動すべく駆動スプロケットおよび被動スプロケットに巻き掛けられた無端伝動帯を備える補機駆動用伝動機構に関する。
【背景技術】
【０００２】
内燃機関の補機を駆動する補機駆動用伝動機構として、例えば特許文献１に開示されたものが知られている。開示されたこの伝動機構は、補機であるオイルポンプを内燃機関の回転により駆動すべく、変速機のメイン軸に設けられた駆動スプロケットと該駆動スプロケットに巻き掛けられたチェーンとを備える。また、内燃機関のクランク軸と、変速機の入力軸であるメイン軸および出力軸であるカウンタ軸とは、車両の前後方向に並んで配列されると共に、クランクケースをアッパーケースとロアケースとに分割する分割面上に互いに平行に配置され、オイルポンプは前記分割面よりも下方に配置される。
【特許文献１】特開２００２−２３５５４８号公報（図６）
【発明の開示】
【発明が解決しようとする課題】
【０００３】
前述の従来の技術では、駆動スプロケットが設けられるメイン軸は、クランクケースの分割面上に配置されるため、分割面よりも下方に配置されるオイルポンプとの距離が短く、チェーンを案内するガイドは不要である。しかしながら、内燃機関および変速機を前後方向でコンパクトに配置して、内燃機関および変速機から構成される動力装置の前後長を短縮してコンパクト化を図るために、メイン軸を分割面から上方に離れた位置に配置することにより、クランク軸とカウンタ軸との軸間距離を短くすると、メイン軸に設けられる駆動スプロケットと分割面よりも下方に配置されたオイルポンプとの距離が増加して、チェーンの振れが生じることがある。
【０００４】
本発明は、このような事情に鑑みてなされたものであり、請求項１〜６記載の発明は、動力装置のコンパクト化および無端伝動帯の振れの効果的な抑制を図ることを目的とする。そして、請求項２記載の発明は、さらに、駆動スプロケットでの無端伝動帯の歯飛びを防止することを目的とし、請求項４記載の発明は、さらに、無端伝動帯の振れの減衰効果を高めると共にガイドの軽量化を図ることを目的とする。
【課題を解決するための手段】
【０００５】
請求項１記載の発明は、分割面にて上下に分割される上クランクケースと下クランクケースとが結合されて構成されるクランクケースと、前記クランクケースに回転可能に支持されて前記分割面上に配置されるクランク軸と、前記分割面よりも下方に配置される補機と、前記補機を駆動すべく駆動スプロケットおよび被動スプロケットに掛け渡された無端伝動帯を備える補機駆動用伝動機構とを備える内燃機関と、前記クランク軸からの動力が入力される入力軸と、前記入力軸よりも下方に位置して変速後の動力を出力する出力軸とを備え、前記入力軸および前記出力軸は前記クランク軸に平行に配置される変速機と、を備える動力装置において、前記駆動スプロケットは前記分割面から上方に離れた位置に配置された入力軸に設けられ、前記被動スプロケットは前記補機の駆動軸に設けられ、前記伝動機構は、前記無端伝動帯が摺接すると共に前記無端伝動帯の走行方向に沿って細長い長尺状のガイドを備え、前記ガイドは、その取付部において前記上クランクケースのみに取り付けられて、前記上クランクケースと前記下クランクケースとに跨って配置される動力装置である。
【０００６】
これによれば、入力軸が分割面から上方に離れて配置されることから、入力軸が分割面上にない分、クランク軸および出力軸の軸間距離を短くできるので、クランク軸および出力軸の配列方向で、動力装置の長さを短くすることができる。また、ガイドが分割面を越えて上クランクケースおよび下クランクケースに渡って配置されるので、無端伝動帯の振れを広範囲で抑制できるうえ、ガイドが上クランクケースのみに取り付けられるので、動力装置の組立またはメンテナンスの際に、ガイドが、上クランクケースおよび下クランクケースから構成されるクランクケースの組付作業および分解作業の妨げにならない。
【０００７】
請求項２記載の発明は、請求項１記載の動力装置において、前記走行方向に平行な方向での前記ガイドの両端部のうちの一方の端部は、前記無端伝動帯から離れる方向に屈曲して形成された屈曲部により構成される前記取付部であり、前記取付部は、締結具により前記上クランクケースに締結されると共に、前記駆動スプロケットにおける前記無端伝動帯の巻入れ部の近傍に位置するものである。
【０００８】
これによれば、取付部は、駆動スプロケットの巻入れ部の近傍に位置するうえ、締結具により剛性が高められる。しかも、取付部は屈曲部により構成されるので、屈曲している分、駆動スプロケットが設けられる入力軸を回転可能に支持する軸受部分から離れて位置することになる。
【０００９】
請求項３記載の発明は、請求項１または２記載の動力装置において、前記駆動スプロケットと比べたとき前記被動スプロケット寄りに配置されて前記被動スプロケットにおける前記無端伝動帯の巻入れ部寄りで前記無端伝動帯が摺接する別のガイドを備え、前記別のガイドは、前記駆動スプロケット寄りに位置して前記下クランクケースに締結される締結部と、前記被動スプロケットにおける前記巻入れ部寄りに位置して前記下クランクケースに係合する係合部とを有する
ものである。
【００１０】
これによれば、駆動スプロケットおよび被動スプロケットのうち、被動スプロケット寄りに配置される別のガイドにおいて、駆動スプロケット寄りの部分では、別のガイドが駆動スプロケットから離れている分、締結部の配置スペースの確保が容易であり、被動スプロケット寄りの部分では、係合部が係合するだけのスペースが確保されればよいので、被動スプロケット付近で下クランクケースを大型化することなく、別のガイドを被動スプロケットに近づけて配置できる。
【００１１】
請求項４記載の発明は、請求項１または２記載の動力装置において、前記ガイドは、記無端伝動帯が摺接する案内面を有する本体部を有し、前記走行方向に直交する直交平面での前記本体部の断面形状は、前記案内面に垂直な方向に沿って延びる連結壁を有するＨ字状であるものである。
【００１２】
これによれば、案内面を有する本体部が肉抜きされることにより、ガイドが軽量化される一方で、本体部の剛性が低下して、無端伝動帯の振れを減衰させる効果が高められる。また、断面形状がＨ形状であることにより、ガイドに所要の剛性を持たせることができる
【００１３】
請求項５記載の発明は、請求項１から３のいずれか１項記載の動力装置において、前記入力軸には、前記入力軸に対する前記クランク軸から動力の伝達および遮断を行うクラッチが同軸に連結され、前記取付部は、前記上クランクケースにおいて前記入力軸を回転可能に支持する支持壁に取り付けられ、前記ガイドは前記支持壁および前記クラッチの間に配置されるものである。
【００１４】
これによれば、入力軸を回転可能に支持する支持壁を利用することにより、ガイドが取り付けられるので、ガイドを取り付けるため専用の部材を別途設ける必要がない。しかも、ガイドは支持壁とクラッチの間に配置されるので、比較的大きな部材であるクラッチが入力軸と同軸に配置されることで生じるスペースを利用してガイドを配置することができる。
【００１５】
請求項６記載の発明は、請求項１から３のいずれか１項記載の動力装置において、前記ガイドは、前記無端伝動帯が摺接する案内面を有する本体部と、前記本体部の背面から背後に突出して前記クランクケースに係合するフック状係合部とを有するものである。
【００１６】
これによれば、無端伝動帯に振れが発生したとき、フック状係合部は、本体部が無端伝動帯に押されて案内面に垂直な方向に移動することを防止するので、振れを抑制する効果の低下が防止される。また、フック状係合部であるため、本体部との間に形成される空隙を利用して容易に被係合部に係合させることができる。
【発明の効果】
【００１７】
請求項１記載の発明によれば、次の効果が奏される。すなわち、クランク軸および出力軸の軸間距離を短くできるので、クランク軸および出力軸の配列方向で動力装置をコンパクト化できる。そして、ガイドは、無端伝動帯の振れを広範囲で抑制できるので、無端伝動帯の振れを効果的に抑制でき、しかも動力装置の組立またはメンテナンスの作業性を低下させることがない。
請求項２記載の発明によれば、次の効果が奏される。すなわち、駆動スプロケットの巻入れ部の近傍に、締結具により剛性が高められた取付部が位置するので、ガイドにより無端伝動帯の歯飛びが効果的に防止される。しかも、取付部は、駆動スプロケットの巻入れ部の近傍に位置するにも拘わらず、入力軸の軸受部分の強度に影響を与えることがない。
請求項３記載の発明によれば、引用された請求項記載の発明の効果に加えて、次の効果が奏される。すなわち、下クランクケースを大型化することなく別のガイドを被動スプロケットに近づけて配置できるので、別のガイドによる無端伝動帯の振れ抑制効果および歯飛び防止効果を発揮させることができる。
請求項４記載の発明によれば、引用された請求項記載の発明の効果に加えて、次の効果が奏される。すなわち、所要の剛性が確保されたうえで、ガイドが軽量化され、しかも無端伝動帯の振れの減衰効果を高めることができる。
請求項５記載の発明によれば、引用された請求項記載の発明の効果に加えて、次の効果が奏される。すなわち、ガイドを取り付けるための専用の部材を別途設ける必要がないので、ガイドを取り付けるための構造が複雑化することがないうえ、動力装置が軽量化される。しかも、ガイドはクラッチの配置により生じるスペースを利用して配置されるので、ガイドが配置されることによる動力装置の大型化が防止される。
請求項６記載の発明によれば、引用された請求項記載の発明の効果に加えて、次の効果が奏される。すなわち、フック状係合部により、無端伝動帯の振れの抑制効果の低下が防止され、しかも上クランクケースへのガイドの取付時に被係合部への係合が容易になるので、ガイドの取付作業性が向上する。
【発明を実施するための最良の形態】
【００１８】
以下、本発明の実施形態を図１ないし図５を参照して説明する。
図１，図２を参照すると、本発明が適用された動力装置Ｐは、車両としての自動二輪車に搭載されるものであり、水冷式の多気筒４ストローク内燃機関Ｅと、該内燃機関Ｅが発生する動力を駆動輪としての後輪に伝達する動力伝達機構を構成するクラッチとしての多板摩擦式クラッチＣおよび変速機としての常時噛合い式歯車変速機Ｍとを備える。
【００１９】
クランク軸８の回転中心線Ｌ１が左右方向を指向する横置き配置で自動二輪車に搭載される内燃機関Ｅは、４つのシリンダ１ａが直列に配列されて一体成形されたシリンダブロック１と、シリンダブロック１の上端部に結合されるシリンダヘッド２と、シリンダヘッド２の上端部に結合されるヘッドカバー３と、シリンダブロック１の下端部に結合される下クランクケース21と、下クランクケース21の下端部に結合されるオイルパン５とから構成される機関本体を備える。
【００２０】
なお、この実施形態において、「前後」、「上下」および「左右」は、特に断らない限り、動力装置Ｐが自動二輪車に搭載された状態での「前後」、「上下」および「左右」をそれぞれ意味する。また、軸方向とは、回転中心線Ｌ１に平行な方向を意味する。
【００２１】
各シリンダ１ａに往復動可能に嵌合するピストン６は、コンロッド７を介してクランク軸８に連結される。クランク軸８は、シリンダブロック１の下部により構成される上クランクケース11と下クランクケース21とが結合されて構成されるクランクケース４により形成されるクランク室10内に収納されて、上クランクケース11および下クランクケース21に挟持される主軸受９を介してクランクケース４に回転可能に支持され、かつ上クランクケース11と下クランクケース21との分割面Ｈ上に回転中心線Ｌ１を有する。
【００２２】
シリンダヘッド２には、シリンダ１ａ毎に、シリンダ軸線Ｌｃが延びる方向でピストン６に対向して形成される燃焼室30と、燃焼室30に開口して１対の吸気弁33により開閉される吸気ポート31および１対の排気弁34により開閉される排気ポート32とが形成され、さらに燃焼室30に臨む点火栓35が装着される。各吸気弁33および各排気弁34は、シリンダヘッド２に回転可能に支持される吸気カム軸36および排気カム軸37を備えるＤＯＨＣ型の動弁装置によりクランク軸８の回転に同期して開閉される。そのために、各カム軸36，37は、クランク室10から突出するクランク軸８の右の軸端部８ａに設けられる駆動スプロケット38ａと、各カム軸36，37の右の軸端部に設けられるカムスプロケット38ｂ，38ｃと、それらスプロケット38ａ，38ｂ，38ｃに巻き掛けられるタイミングチェーン38ｄとから構成される動弁用の伝動機構38により、クランク軸８の１／２の回転速度で回転駆動される。
【００２３】
吸気装置からの吸入空気と燃料との混合気は、吸気ポート31を通って各吸気弁33の開弁時に各燃焼室30に流入し、点火栓35により点火されて燃焼する。燃焼室30内の燃焼ガスの圧力により駆動されて往復運動するピストン６がクランク軸８を回転駆動する。燃焼ガスは、排気ガスとして排気弁34の開弁時に排気ポート32に流出し、さらに排気装置を通じて外部に排出される。
【００２４】
軸端部８ａには、クランク室10寄りから順に、駆動スプロケット38ａと、始動電動機により駆動される始動用被動ギヤ39の回転をクランク軸８に伝達する一方向クラッチ40とが設けられる。そして、軸方向での上クランクケース11および下クランクケース21の一方側としての右側の端壁12，22において軸方向に突出する突出壁12ａ，22ａは、被動ギヤ39およびクラッチＣを囲む周壁を構成し、突出壁12ａ，22ａの軸方向での端面である合わせ面12ｂ，22ｂには、右側のケースカバー45が多数のボルトにより結合され、該ケースカバー45および端壁12，22により、軸端部８ａ、駆動スプロケット38ａ、被動ギヤ39およびクラッチＣが収納される共にクランク室10に開放する収納室28が形成される。
【００２５】
一方、クランク室10から突出するクランク軸８の左の軸端部８ｂには、交流発電機41のロータ41ａが設けられる。そして、軸方向での上クランクケース11および下クランクケース21の他方側としての左側の端壁13，23において軸方向に突出する突出壁13ａ，23ａは、交流発電機41を囲む周壁を構成し、突出壁13ａ，23ａの軸方向での端面である合わせ面13ｂ，23ｂには左側のケースカバー46が多数のボルトにより結合され、該ケースカバー46および端壁13，23により軸端部８ｂおよび交流発電機41が収納される収納室29が形成される。
【００２６】
図３を併せて参照すると、クランク軸８の動力は、１次減速機構50を介してクラッチＣに伝達され、さらにクラッチＣから歯車変速機Ｍに伝達される。１次減速機構50は、クランク軸８に一体成形された駆動ギヤ50ａと、該駆動ギヤ50ａに噛合すると共にクラッチＣの入力側部材としてのクラッチアウタ51に一体に回転するように設けられる被動ギヤ50ｂとから構成される。
【００２７】
歯車変速機Ｍは、クラッチＣの出力側部材としてのクラッチインナ52にスプライン結合により一体に回転するように連結されると共にメイン側変速ギヤ群55が装着されるメイン軸53と、変速ギヤ群55を構成する複数の変速ギヤ55ａとそれぞれ噛合する複数の変速ギヤ56ａから構成されるカウンタ側変速ギヤ群56および出力部材としての出力スプロケット59が装着されるカウンタ軸54と、変速レバーにより駆動されるシフトスピンドル57により操作されて回動するシフトドラム58を有する変速操作機構と、を備える。ここで、メイン軸53はクランク軸８からの動力が入力される入力軸であり、カウンタ軸54は変速後の動力を出力する出力軸である。
【００２８】
前記変速操作機構は、メイン軸53またはカウンタ軸54と一体に回転すると共に一部の変速ギヤ55ａおよび変速ギヤ56ａにより構成されるシフタ55a1，56a1を有し、該シフタ55a1，56a1は、前記変速レバーの操作に応動するシフトドラム58により駆動されるシフトフォーク（図示されず）を介して軸方向に移動させられ、所望の変速比を確立するために、互いに噛合する変速ギヤ55ａおよび変速ギヤ56ａをそれぞれメイン軸53およびカウンタ軸54と一体に回転するように連結する。
そして、歯車変速機Ｍにより変速された後のクランク軸８の動力は、出力スプロケット59と後輪の被動スプロケットとに掛け渡された伝動チェーン60とを備える２次減速機構を介して後輪に伝達される。
【００２９】
メイン軸53、カウンタ軸54および両変速ギヤ群55，56は、上クランクケース11の一部分である後部により構成される第１ミッションケースとしての上ミッションケース14と、下クランクケース21の一部分である後部により構成される第２ミッションケースとしての下ミッションケース24とから構成されるミッションケースにより形成されるミッション室20に収納される。クランク室10の後方に位置するミッション室20は、上ミッションケース14および下ミッションケース24の一部分で構成される第１隔壁18および第２隔壁19により、クランク室10および収納室28から隔てられていると共に、クランク室10および収納室28と同様に下方に向かってオイルパン５に開放している。ここで、第１隔壁18は、上ミッションケース14および下ミッションケース24の、クランクケース４内での突出壁15，25により構成され、第２隔壁19は、上ミッションケース14および下ミッションケース24の端壁16，26（端壁12，22の一部分である後部により構成される。）により構成される。
【００３０】
軸方向にほぼ平行に延びる第１隔壁18は、軸方向に直交する方向（以下、「直交方向」という。）でクランク室10からミッション室20を仕切り、直交方向にほぼ平行に延びる第２隔壁19は、軸方向でクランク室10および収納室28からミッション室20を仕切る。
【００３１】
メイン軸53は、第２隔壁19と、軸方向で第２隔壁19に対向する上ミッションケース14の左の端壁17（上クランクケース11の後部の左の端壁13の一部分である。）とに、それぞれメイン軸53を支持する軸受部分である１対の軸受61，62を介して回転可能に支持される。カウンタ軸54は、第２隔壁19と、軸方向で第２隔壁19に対向する上ミッションケース14の端壁17および下ミッションケース24の端壁27（下クランクケース21の後部の左の端壁23の一部分である。）とに、それぞれ１対の軸受63，64を介して回転可能に支持される。軸受63は、第２隔壁19において分割された２つの隔壁部分である両端壁16，26に挟持され、軸受64は両端壁17，27に挟持される。
【００３２】
メイン軸53およびカウンタ軸54は、互いに平行に配置され、回転中心線Ｌ１に平行な回転中心線Ｌ２，Ｌ３をそれぞれ有する。カウンタ軸54の回転中心線Ｌ３は分割面Ｈ上に位置し、メイン軸53は、回転中心線Ｌ１、軸端部８ａ，８ｂおよびカウンタ軸54よりも上方に配置される。さらに、クランク軸８およびカウンタ軸54は、分割面Ｈ上に配置、すなわち分割面Ｈと交差する位置に配置され、メイン軸53は分割面Ｈから上方に離れた位置に配置され、クランク軸８およびカウンタ軸54はメイン軸53よりも下方に位置する。また、クランク軸８およびカウンタ軸54が互いに平行に並列して配置される方向、すなわち配列方向は、この実施形態では前後方向に一致する。しかも、前後方向で回転中心線Ｌ２は、両回転中心線Ｌ１，Ｌ３の間に位置する。
【００３３】
ミッション室20から右に突出して収納室28内で延びるメイン軸53の軸端部53ａには、ミッション室20側から順に、駆動スプロケット101 と、被動ギヤ50ｂと、メイン軸53に対するクランク軸８から動力の伝達および遮断を行うクラッチＣとが同軸に設けられる。クラッチアウタ51に一体に回転するように結合される被動ギヤ50ｂは、軸端部53ａに相対回転可能に支持されるカラー65と、カラー65の外周に設けられるニードル軸受からなる軸受66を介して、メイン軸53に回転可能に支持される。
【００３４】
後述するオイルポンプ80および水ポンプ90を回転駆動する伝動機構Ｔを構成する駆動スプロケット101 は、軸方向で軸受61とクラッチＣとの間、または軸受61を介してメイン軸53を支持する支持壁としての端壁16（上ミッションケース14を構成する第２隔壁19でもある。）とクラッチＣとの間に配置されて、カラー67を介して軸端部53ａに回転可能に支持され、さらに被動ギヤ50ｂと一体に回転するように、一体成形された突起が被動ギヤ50ｂの孔に嵌合して被動ギヤ50ｂに結合される。それゆえ、駆動スプロケット101 は、１次減速機構50を介してクランク軸８により駆動される。
【００３５】
図１，図３を参照すると、内燃機関Ｅおよび歯車変速機Ｍの潤滑系統は、オイルパン５と、オイルパン５からストレーナ68および吸入管69を経て吸入した潤滑油を吐出するオイルポンプ80と、オイルポンプ80から吐出された潤滑油を清浄にするオイルフィルタ70と、オイルフィルタ70を流通した後の潤滑油を冷却する水冷式のオイルクーラ（図示されず）と、内燃機関Ｅおよび歯車変速機Ｍの各潤滑箇所をはじめ所要の箇所に潤滑油を導く多数の油路と、から構成される。
【００３６】
内燃機関Ｅの補機としてのオイルポンプ80は、クランク軸８の動力により回転駆動されると共にトロコイドポンプから構成され、回転中心線Ｌ１に平行な回転中心線を有する駆動軸81と、吸入ポートおよび吐出ポートが設けられたポンプボディ82と、駆動軸81により回転駆動されるロータ84を収容すると共にポンプボディ82にボルトにより結合されるポンプカバー83とを備える。ポンプカバー83が下クランクケース21に複数のボルト85で結合されることにより、オイルポンプ80がクランクケース４に取り付けられる。
【００３７】
そして、オイルストレーナ68および吸入管69を経てオイルパン５から汲み上げられた潤滑油は、オイルポンプ80から吐出され、次いで吐出導管71を経て下クランクケース21に設けられた油路72を通ってオイルフィルタ70に流入する。オイルフィルタ70を通過した潤滑油は、油路73を通ってオイルクーラに導かれ、オイルクーラを通過した後にメインギャラリ74に流入する。その後、メインギャラリ74の潤滑油が、下クランクケース21、シリンダブロック１およびシリンダヘッド２に設けられた各油路を経て、内燃機関Ｅおよび歯車変速機Ｍの各潤滑箇所に供給される。そして、各潤滑箇所を潤滑した後の潤滑油は、クランク室10、収納室28およびミッション室20内を落下または流下してオイルパン５に戻る。
【００３８】
また、内燃機関Ｅの冷却系統は、下クランクケース21に装着されて冷却水を圧送する水ポンプ90を備える。内燃機関Ｅの補機としての水ポンプ90は、オイルポンプ80の駆動軸81と同軸に設けられて一体に回転する駆動軸91と、下クランクケース21に嵌合して保持されると共に駆動軸91を回転可能に支持するポンプボディ92と、ポンプボディ92に結合されるポンプカバー93と、駆動軸91により回転駆動されるインペラ94と、を備える。
【００３９】
ポンプボディ92およびポンプカバー93により形成されてインペラ94が収納されるポンプ室95には、ラジエータで放熱して低温となった冷却水がポンプカバー93の入口ポート93ａから流入し、インペラ94により圧送された冷却水がポンプカバー93に設けられた出口ポートから流出して、導管を通ってシリンダブロック１やシリンダヘッド２に設けられた冷却水通路に供給される。
【００４０】
オイルポンプ80および水ポンプ90は、ミッション室20の真下で、ミッション室20とオイルパン５との間の空間に配置され、両駆動軸81，91はクランク室10およびミッション室20よりも下方に配置される。そして、メイン軸53（したがって回転中心線Ｌ２）が両回転中心線Ｌ１，Ｌ３を含む平面である分割面Ｈの上方に配置される一方、オイルポンプ80および水ポンプ90が、分割面Ｈよりも下方で分割面Ｈから離れた位置に配置される。
【００４１】
図１，図３，図４を参照すると、内燃機関Ｅに備えられて、オイルポンプ80の駆動軸81および水ポンプ90の駆動軸91を回転駆動するための補機駆動用伝動機構Ｔは、駆動ホイールとしての駆動スプロケット101 と、駆動軸81に一体に回転するように設けられる被動ホイールとしての被動スプロケット102 と、両スプロケット101 ，102 に掛け渡される無端伝動帯としての無端チェーン103 と、無端チェーン103 の外周側に接触して無端チェーン103 を案内して無端チェーン103 の振れを抑制する１対のガイドとしてのチェーンガイド120 ，160 とを備える。
【００４２】
収納室28の下部に配置される被動スプロケット102 は、駆動軸81の右の軸端部に軸方向にねじ込まれるボルト104 で結合され、伝動機構Ｔにより、被動スプロケット102 は駆動スプロケット101 と等速で回転駆動される。
【００４３】
第１のチェーンガイド120 は、被動スプロケット102 と比べたとき駆動スプロケット101 寄りに配置されると共に、分割面Ｈに対して、その半分以上がオイルポンプ80および水ポンプ90とは反対側である上側またはメイン軸53側に位置するように、かつ軸方向から見て（以下、「側面視」という。）その半分以上がクラッチＣのクラッチアウタ51および被動ギヤ50ｂと重なるように配置される（図１参照）。また、チェーンガイド120 は、図２に示されるように、軸方向でミッション室20を形成する端壁16と被動ギヤ50ｂとの間で、しかも右端のシリンダ１ａに嵌合するピストン６が連結されるクランクピン８ｃと交差すると共に回転中心線Ｌ１に直交する平面ｈ１と交差する位置に配置される。この平面ｈ１は、軸方向で、クランクピン８ｃを挟む１対のクランクウェブ８ｄの間に位置する。そして、軸方向で端壁16と被動ギヤ50ｂとの間は、クランク室10とミッション室20とを隔てる壁がないスペースである。
【００４４】
図１，図４を参照すると、無端チェーン103 の走行方向に沿って長細い長尺状であって、側面視でほぼＬ字状のチェーンガイド120 は、無端チェーン103 の張り側部分103bが摺接する案内面124aを有すると共に無端チェーン103 に沿って延びる本体部121 と、本体部121 に連なると共にチェーンガイド120 が取り付けられる端壁16（上クランクケース11の一部である上ミッションケース14を構成する第２隔壁19でもある。）に固定状態で取り付けられる取付部131と、本体部121 の背面125aから背後に突出して端壁16の被係合部としての円柱状のピン153 に係合する係合部141 とを一体に有し、本体部121 、取付部131 および係合部141 が、弾性材、例えば合成樹脂により一体成形された部材である。そして、チェーンガイド120 は、取付部131 において端壁16のみに取り付けられ、端壁16と端壁26とに跨って配置される。
【００４５】
端壁16および端壁26に渡って延びている本体部121 は、チェーンガイド120 に対する無端チェーン103 の走行方向で、取付部131に近い位置にある基端部122 と、基端部122 に比べて取付部131 から遠い位置にある先端部123 とを有する。本体部121 は基端部122 で取付部131 と連結され、基端部122 は駆動スプロケット101 において無端チェーン103 との噛合開始部分である巻入れ部101aに近接して配置される。そして、案内面124aには、巻入れ部101a寄りで無端チェーン103が摺接し、巻入れ部101aの近傍、この実施形態では、駆動スプロケット101 の歯列の３ピッチｐ分以内の長さで巻入れ部101aから離れた位置まで無端チェーン103が摺接する。それゆえ、取付部131 は巻入れ部101aの近傍に位置する。また、係合部141 は、走行方向で基端部122 と先端部123 との間で両者のほぼ中央に、または走行方向で案内面124aのほぼ中央に位置する。
【００４６】
本体部121 には、無端チェーン103 の振れを減衰させ易くするために、本体部121 がある程度弾性変形し易くなるように、案内面124aに垂直な方向（以下、「垂直方向」という。）で案内面124aと対向する背面125aとの間に、軸方向で反対方向に向かって開放する凹部126 が設けられる。
【００４７】
この凹部126 を形成すべく、本体部121 は、垂直方向で凹部126 を挟んで、案内面124aを有する案内壁124 と、背面125aを有する背後壁125 と、走行方向および垂直方向に平行に延びて案内壁124 と背後壁125 を連結する第１連結壁127とを有する。連結壁127は、軸方向での本体部121 の幅Ｗ３の中央部に設けられるため、走行方向に直交する直交平面ｈ２での本体部121 の断面形状は、Ｈ字状である。そして、凹部126 は、走行方向で、背後壁125 における係合部141 との連結部125bを含む範囲であって、連結部125bの幅Ｗ１よりも広い範囲に渡って設けられ、この実施形態では走行方向で案内面124aの過半に渡る範囲Ｗ２、より具体的には、案内面124a全体をほぼ含む範囲Ｗ２に設けられる。
【００４８】
本体部121 には、案内壁124 と背後壁125 とを連結すると共に連結壁127とも連結される複数、この実施形態では２つの第２連結壁128 ，129 が、凹部126 を走行方向で仕切るように、直交平面ｈ２に平行に延びて設けられ、これら連結壁128 ，129 により、凹部126 は、複数の、ここでは３つの小凹部126a，126b，126cに分けられる。連結壁128 は、背後壁125 における連結部125bと案内壁124 とを連結し、連結壁129 は、基端部122 での背後壁125 における取付部131との連結部125cと案内壁124 とを連結する。各連結壁128 ，129 の軸方向での幅は、この実施形態では幅Ｗ３に等しい。
そして、連結壁127、および両連結壁128 ，129 は、チェーンガイド120 が無端チェーン103 の振れを抑制するための所要の剛性を本体部121 に付与する。
【００４９】
取付部131 は、走行方向に平行な方向でのチェーンガイド120 の両端部のうちの一方の端部であり、無端チェーン103 から離れる方向に屈曲して形成された屈曲部により構成され、係合部141 よりも巻入れ部101a 寄りで、締結具としてのボルト151 により端壁16の円柱状の取付座152に不動に結合される。なお、チェーンガイド120 の両端部のうちの他方の端部は先端部123 である。
【００５０】
幅Ｗ３よりも小さい軸方向での幅Ｗ４を有する係合部141 は、背面125aから、連結部125bにおいて垂直方向で案内面124aが位置する側とは反対側、すなわち背後に突出する部分であり、係合部141 には孔141aが設けられ、該孔141aに端壁16に一体成形されたピン153 が嵌入することにより、係合部141 が端壁16に係合する。そして、チェーンガイド120 は、チェーンガイド120 がない状態での無端チェーン103 の外周形状に案内面124aが沿う形態で端壁16に取り付けられる。
【００５１】
図１を参照すると、駆動スプロケット101 と比べたとき被動スプロケット102 寄りに配置される第２のチェーンガイド160 は、無端チェーン103 の弛み側部分103aが摺接する案内面161aを有する板状の本体部161 と、本体部161 を端壁26（下クランクケース21の一部である下ミッションケース24を構成する第２隔壁19でもある。）に固定状態で取り付けるための締結部162 および係合部163 と、を一体に有する。
【００５２】
案内面161aには、被動スプロケット102 において無端チェーン103 との噛合開始部分である巻入れ部102a寄りで無端チェーン103 が摺接し、巻入れ部102aの近傍、この実施形態では、被動スプロケット102 の歯列の３ピッチ分（図４（Ａ）に示される駆動スプロケット101 のピッチｐと同様である。）以内の長さで巻入れ部102aから離れた位置まで無端チェーン103 が摺接する。
【００５３】
締結部162 は、チェーンガイド110 において駆動スプロケット101 寄りに位置する部分であり、端壁26にねじ込まれる締結具としてのボルト164 により端壁26に不動に締結される。係合部163 は、チェーンガイド160 において巻入れ部102a寄りに位置する部分である。係合部163 には孔163aが設けられ、該孔163aに壁部26に一体成形された被係合部としてのピン165 が嵌入することにより、係合部163 が端壁26に係合する。そして、チェーンガイド160 は、チェーンガイド160 がない状態での無端チェーン103 の外周形状に案内面161aが沿う形態で端壁26に取り付けられる。
【００５４】
次に、前述のように構成された実施形態の作用および効果について説明する。
動力装置Ｐにおいて、いずれもメイン軸53よりも下方に位置するカウンタ軸54とクランク軸８とが互いに平行に分割面Ｈ上に配置され、分割面Ｈよりも下方に位置するオイルポンプ80を駆動する伝動機構Ｔは、分割面Ｈから上方に離れた位置に配置されたメイン軸53に設けられる駆動スプロケット101 およびオイルポンプ80の駆動軸81に設けられる被動スプロケット102 に掛け渡された無端チェーン103 と、無端チェーン103 が摺接すると共にその走行方向に沿って細長い長尺状のチェーンガイド120 とを備え、チェーンガイド120 は、その取付部131 において端壁16のみに取り付けられて、上クランクケース11の端壁16と下クランクケース21の端壁26とに跨って配置されることにより、メイン軸53が分割面Ｈから上方に離れて配置されることから、メイン軸53が分割面Ｈ上にない分、分割面Ｈ上に配置されるクランク軸８およびカウンタ軸54の軸間距離を短くできるので、クランク軸８およびカウンタ軸53の配列方向である前後方向で、動力装置Ｐの長さを短くすることができる。また、チェーンガイド120 が分割面Ｈを越えて端壁16および端壁26に渡って配置されるので、無端チェーン103 の振れを広範囲で抑制できるうえ、チェーンガイド120 が端壁16のみに取り付けられるので、動力装置Ｐの組立またはメンテナンスの際に、チェーンガイド120 が、上クランクケース11および下クランクケース21から構成されるクランクケース４の組付作業および分解作業の妨げにならない。この結果、クランク軸８およびカウンタ軸54の軸間距離を短くできるので、前後方向で動力装置Ｐをコンパクト化できる。そして、チェーンガイド120 は、無端チェーン103 の振れを広範囲で抑制できるので、無端チェーン103 の振れを効果的に抑制でき、しかも動力装置Ｐの組立またはメンテナンスの作業性を低下させることがない。
【００５５】
走行方向に平行な方向でのチェーンガイド120 の両端部のうちの一方の端部は、無端チェーン103 から離れる方向に屈曲して形成された屈曲部により構成される取付部131 であり、取付部131 は、ボルト151 により端壁16に締結されると共に、駆動スプロケット101 の巻入れ部101aの近傍に位置することにより、取付部131 は、巻入れ部101aの近傍に位置するうえ、ボルト151 により剛性が高められるので、チェーンガイド120 により無端チェーン103 の歯飛びが効果的に防止される。しかも、取付部131 は屈曲部により構成されるため、屈曲している分、駆動スプロケット101 が設けられるメイン軸53を回転可能に支持する軸受61から離れて位置することになるので、取付部131 は、巻入れ部101aの近傍に位置するにも拘わらず、メイン軸53の軸受61の強度に影響を与えることがなく、メイン軸53が安定して支持される。
【００５６】
伝動機構Ｔが、チェーンガイド120 のほかに、駆動スプロケット101 と比べたとき被動スプロケット102 寄りに配置されて被動スプロケット102 の巻入れ部102aが摺接する別のチェーンガイド160 を備え、該チェーンガイド160 は、駆動スプロケット101 寄りに位置して下クランクケース21の端壁26に締結される締結部162 と、巻入れ部102a寄りに位置して端壁26に係合する係合部163 とを有することにより、チェーンガイド160 において、駆動スプロケット101 寄りの部分では、チェーンガイド160 が駆動スプロケット101 から離れている分、締結部162 の配置スペースの確保が容易であり、被動スプロケット102 寄りの部分では、係合部163 が係合するだけのスペースが確保されればよいので、被動スプロケット102 付近で下クランクケース21を大型化することなく、チェーンガイド160 を被動スプロケット102 に近づけて配置できる。この結果、下クランクケース21を大型化することなくチェーンガイド160 を被動スプロケット102 に近づけて配置できるので、チェーンガイド160 による無端チェーン103 の振れ抑制効果および歯飛び防止効果を発揮させることができる。
【００５７】
チェーンガイド120 は、無端チェーン103 が摺接する案内面124aを有する本体部124 を有し、走行方向に直交する直交平面ｈ２での本体部124 の断面形状は、垂直方向に沿って延びる連結壁127を有するＨ字状であることにより、案内面124aを有する本体部124 が肉抜きされるために、チェーンガイド120 が軽量化される一方で、本体部124 の剛性が低下して、無端チェーン103 の振れを減衰させる効果が高められる。また、断面形状がＨ形状であることにより、チェーンガイド120 に所要の剛性を持たせることができる。この結果、所要の剛性が確保されたうえで、チェーンガイド120 が軽量化され、しかも無端チェーン103 の振れの減衰効果を高めることができる。
【００５８】
メイン軸53には、メイン軸53に対するクランク軸８から動力の伝達および遮断を行うクラッチＣが同軸に連結され、取付部131 は、メイン軸53を回転可能に支持する支持壁である端壁16に取り付けられ、チェーンガイド120 は端壁16およびクラッチＣの間に配置されることにより、メイン軸53を回転可能に支持する端壁16を利用することにより、チェーンガイド120 が取り付けられることから、チェーンガイド120 を取り付けるため専用の部材を別途設ける必要がないので、チェーンガイド120 を取り付けるための構造が複雑化することがないうえ、動力装置Ｐが軽量化される。しかも、チェーンガイド120 は、クラッチＣと端壁16との間、またはクラッチＣよりも端壁16寄りの被動ギヤ50ｂと端壁16との間に配置されるので、比較的大きな部材であるクラッチＣおよび被動ギヤ50ｂがメイン軸53と同軸に配置されることで生じるスペースを利用してチェーンガイド120 を配置することができることから、チェーンガイド120 が配置されることによる動力装置Ｐの大型化が防止される。
【００５９】
また、軸方向で端壁16と被動ギヤ50ｂとの間は、クランク室10とミッション室20とを隔てる壁がないスペースであるので、巻入れ部101aの近傍から下方に向かって延びて端壁16と端壁26とに跨って延びる長尺のチェーンガイド120 の配置スペースを、動力装置Ｐを大型化することなく確保できる。
チェーンガイド120 がクランクピン８ｃと交差する平面ｈ１と交差する位置に配置されることにより、クランクウェブ８ｄに干渉することなくチェーンガイド120 を長尺化できる。また、クランクピン８ｃに供給される潤滑油が遠心力で飛散し、チェーンガイド120 に衝突して付着した後に集合し、その集合した潤滑油が、チェーンガイド120 を流下またはチェーンガイド120 から落下して無端チェーン103 に供給されるので、無端チェーン103 の潤滑が促進される。
【００６０】
無端チェーン103 に振れが発生したとき、係合部141 は、本体部121 が無端チェーン103 に押されて垂直方向に移動することを防止するので、振れを抑制する効果の低下が防止される。
【００６１】
本体部121 と取付部131との連結部125ｃを有する基端部122 に連結壁129 が設けられることにより、取付部131の存在により基端部122 での剛性を高めることができるので、巻入れ部101a の直前での無端チェーン103 の振れを抑制して、歯飛びの発生の防止に寄与する。
【００６２】
本体部121 には、凹部126 が設けられることにより、凹部126 で本体部121が弾性変形しやすくな、るので、チェーンガイド120 の減衰効果が向上する。
【００６３】
本体部121 は、凹部126 を挟んで、案内面124aを有する案内壁124 と背面125aを有する背後壁125 とを有し、凹部126 は、無端チェーン103 の走行方向で、背後壁125 における係合部141 との連結部125bを含むと共に連結部125bよりも広い範囲に渡って設けられ、案内壁124 と背後壁125 を連結する連結壁127 〜129 が設けられることにより、無端チェーン103 の振れに対抗する係合部141 からの反力は、連結壁127 〜129 を介して本体部121 に伝達されるので、無端チェーン103 の振れが抑制される。
【００６４】
以下、前述した実施形態の一部の構成を変更した実施形態について、変更した構成に関して説明する。
チェーンガイド120 の係合部は、図５に示されるように、フック状係合部171 であってもよい。なお、チェーンガイド120 の、係合部171以外の構造は前述の実施形態と同様である。この係合部171 は、係合部141 と同様に背後に突出する立上がり部172 と、立上がり部172 に連なって先端部123 側からピン153 の外周を囲むように延びると共に、案内面124aとほぼ平行に対面する端面173bを有する端部173aを有する円弧状の鉤部173 とから構成される。立上がり部172 は、走行方向でピン153 に対して取付部131とは反対側の位置で突出する。それゆえ、係合部171 には、ピン153 を囲まない開口174 が走行方向でピン153 に対して取付部131側および垂直方向で背面125aに対向する側に形成されて、鉤部173 は部分的にピン153 の外周の過半を包囲する。そして、垂直方向で端面173bと背面125aとの間の空隙175 は、ピン153 の直径とほぼ等しく、開口174を通じて係合部171 をピン153 に容易に係合させることができる。
このように、チェーンガイド120 が上クランクケース11のピン153 に係合するフック状係合部171 を有することにより、無端チェーン103 に振れが発生したとき、係合部171 は、本体部121 が無端チェーン103 に押されて垂直方向に移動することを防止するので、チェーンガイド120 の、振れを抑制する効果の低下が防止される。また、係合部171 がフック状であるため、本体部121 との間に形成される空隙175 を利用して容易にピン153 に係合させることができるので、チェーンガイド120 の取付の作業性が向上する。
【００６５】
伝動機構Ｔを構成する無端伝動帯は、駆動スプロケットおよび被動スプロケットに噛合する歯を有する歯付ベルトであってもよい。
変速機は、常時噛合い式以外の歯車変速機でもよく、歯車変速機以外の変速機であってもよい。
伝動機構Ｔは、オイルポンプおよび水ポンプのいずれか１つを駆動するものであってもよい。内燃機関の補機は、オイルポンプおよび水ポンプ以外のものであってもよい。
【図面の簡単な説明】
【００６６】
【図１】本発明が適用された伝動機構を備える内燃機関および変速機を備える動力装置において、ケースカバーを外した状態で、一部を断面で示す右側面図であり、図２における概ねＩ−Ｉ矢視図である。
【図２】図１の概ねＩＩ−ＩＩ線断面図である。
【図３】図１の概ねＩＩＩ−ＩＩＩ線断面図である。
【図４】（Ａ）は、図１のチェーンガイド付近の拡大図であり、（Ｂ）は、（Ａ）のＢ−Ｂ線断面図であり、（Ｃ）は、（Ａ）のＣ−Ｃ線断面図であり、（Ｄ）は、（Ａ）のＤ−Ｄ線断面図である。
【図５】本発明の別の実施形態を示し、図４（Ａ）に対応する図である。
【符号の説明】
【００６７】
１…シリンダブロック、４…クランクケース、８…クランク軸、53…メイン軸、54…カウンタ軸、80…オイルポンプ、90…水ポンプ、120 …チェーンガイド、Ｐ…動力装置、Ｅ…内燃機関、Ｃ…クラッチ、Ｍ…歯車変速機、Ｔ…伝動機構。
【図１】
0004573743.tif 000002
【図２】
0004573743.tif 000003
【図３】
0004573743.tif 000004
【図４】
0004573743.tif 000005
【図５】
0004573743.tif 000006